(57)【要約】【課題】  簡単な構成で眼内レンズの保持と解除ができる眼内レンズ挿入器具を提供する。【解決手段】  眼内レンズ挿入器具は、眼内レンズを小さく折り畳む為の内壁を有する挿入部と、挿入部の先端から眼内レンズを押し出す筒部本体と、眼内レンズを保持するために筒部本体に設けられる保持部材であって，眼内レンズに応力をかけない状態で保持する保持部材と、保持部材による眼内レンズの保持状態を解除するために眼内レンズに押圧を加えて押し込むための押込手段とを有し、保持部材は押込手段による押し込み方向に対して眼内レンズの移動を規制するための規制手段を有し、規制手段は押込手段による押し込みが行われない状態では眼内レンズの移動を規制し，押込手段により加えられる押圧に基づいて変形して規制を解除する。 【選択図】      図３Ｂ
2012147810.tif 000002
【特許請求の範囲】
【請求項１】
眼内レンズを小さく折り畳む為の内壁を有する挿入部と，
該挿入部の先端から前記眼内レンズを押し出すためのプランジャーを持つ筒部本体とを備える眼内レンズ挿入器具において、
応力をかけずに前記眼内レンズを保持するために前記筒部本体に設けられる保持手段と、
該保持手段で保持された前記眼内レンズの保持を解除するために，前記眼内レンズに押圧を加えて押し込むための押込手段とを備え、
更に前記保持手段は、前記押込手段の押圧が加えられないときに前記眼内レンズの移動を規制し，前記押込手段の押圧が加えられたときに前記眼内レンズの移動方向に変形して前記眼内レンズの移動規制を解除するための規制手段とを持つことを特徴とする眼内レンズ挿入器具。
【請求項２】
請求項１の眼内レンズ挿入器具において、
前記保持手段は、前記プランジャーが進退移動される押出軸外の位置で前記眼内レンズを保持することを特徴とする眼内レンズ挿入器具。
【請求項３】
請求項２の眼内レンズ挿入器具において、
前記押込手段は、前記プランジャーの押出軸外で保持された前記眼内レンズを前記プランジャーの押出軸上へと押し込むことを特徴とする眼内レンズ挿入器具。
【請求項４】
請求項３の眼内レンズ挿入器具において、
前記規制手段は樹脂で形成された凸状の部材であり、
前記眼内レンズのレンズ面を支持するために、該レンズ面の周囲から内側に向けて水平方向に延び、前記押込手段による押圧によって前記眼内レンズの移動方向に向けて変形される肉厚を持つことを特徴とする眼内レンズ挿入器具。
【請求項５】
請求項４の眼内レンズ挿入器具において、
前記規制手段は、前記保持手段による前記眼内レンズの保持が解除されたときに、前記プランジャーの押出軸外に位置されることを特徴とする眼内レンズ挿入器具。
【請求項６】
請求項５の眼内レンズ挿入器具において、
前記筒部本体は更に、
前記プランジャーで前記眼内レンズが押される際に前記眼内レンズが置かれる載置部と、
該載置部に粘弾性物質を塗布するために前記筒部本体の前記載置部近辺に設けられる開口部とを有し、
前記保持手段が筒部本体に対して移動又は回動されることで、前記眼内レンズが前記載置部上に位置すると共に前記開口部が塞がれることを特徴とする眼内レンズ挿入器具。
【請求項７】
請求項６の眼内レンズ挿入器具において、
前記保持手段は、前記載置部の上方に設けられた前記開口部を塞ぐための回動可能な蓋部材であることを特徴とする眼内レンズ挿入器具。
【請求項８】
請求項７の眼内レンズ挿入器具において、
前記押込手段は、前記開口部を塞ぐための前記保持手段の回動動作と、前記保持手段で前記開口部が塞がれた後の前記載置部への前記眼内レンズの押込み動作を兼用することを特徴とする眼内レンズ挿入器具。
【請求項９】
請求項８の眼内レンズ挿入器具において、
前記押込手段は、前記保持手段に保持された前記眼内レンズを前記載置部上へ押し込むための押出部を持ち、
前記保持手段は、前記押出部を通過させて前記眼内レンズに当接させるための開口を持ち、
前記保持手段に対して前記押込手段が押されたときに、前記押出部が前記開口を通過して前記眼内レンズが押されることで、前記規制手段による前記眼内レンズの規制が解除されることを特徴とする眼内レンズ挿入器具。
【請求項１０】
請求項９の眼内レンズ挿入器具において、
前記押出部と前記開口は、前記保持手段に保持された前記眼内レンズの光学部及び支持部の少なくとも一方に対応する位置に形成されることを特徴とする眼内レンズ挿入器具。
【請求項１１】
請求項１０の眼内レンズ挿入器具において、
前記押出部には、前記プランジャーの軸出しを行うための溝が形成されていることを特徴とする眼内レンズ挿入器具。
【請求項１２】
請求項１１の眼内レンズ挿入器具において、
前記開口部は、応力が加えられていない前記眼内レンズの外形形状よりも大きく形成されることを特徴とする眼内レンズ挿入器具。
【発明の詳細な説明】
【技術分野】
【０００１】
本発明は、眼内レンズを眼内に挿入するための眼内レンズ挿入器具に関する。
【背景技術】
【０００２】
眼内レンズの挿入に使用されるインジェクターとして、インジェクター内部に眼内レンズが予めセットされた状態で保管、搬送が行われるプリセット型のものが知られている。
この種のインジェクターには、保管時の眼内レンズの移動を抑えるための保持部材（保持手段）が別部材で組み込まれており、使用時に保持部材が外されることで眼内レンズが使用可能な状態となる（特許文献１参照）。
【先行技術文献】
【特許文献】
【０００３】
【特許文献１】特開２００８‐６１６７７号公報
【発明の概要】
【発明が解決しようとする課題】
【０００４】
しかし特許文献１のように、眼内レンズを保持するための保持部材（保持手段）が、インジェクター本体と別部材で構成される場合には、インジェクター本体の内部構成が複雑になる。また、眼内レンズの使用時に、最初に保持部を取り外す操作を行わなければならず、手間が掛かる課題がある。【０００５】
本発明は、上記従来技術の問題点に鑑み、簡単な構成で眼内レンズを保持できると共に、使用時に好適に眼内レンズの保持状態を解除できる眼内レンズ挿入器具を提供することを技術課題とする。
【課題を解決するための手段】
【０００６】
上記課題を解決するために、本発明は以下のような構成を備えることを特徴とする。【０００７】
（１）  眼内レンズを小さく折り畳む為の内壁を有する挿入部と，該挿入部の先端から前記眼内レンズを押し出すためのプランジャーを持つ筒部本体とを備える眼内レンズ挿入器具において、応力をかけずに前記眼内レンズを保持するために前記筒部本体に設けられる保持手段と、該保持手段で保持された前記眼内レンズの保持を解除するために，前記眼内レンズに押圧を加えて押し込むための押込手段とを備え、更に前記保持手段は、前記押込手段の押圧が加えられないときに前記眼内レンズの移動を規制し，前記押込手段の押圧が加えられたときに前記眼内レンズの移動方向に変形して前記眼内レンズの移動規制を解除するための規制手段とを持つことを特徴とする。
（２）  （１）の眼内レンズ挿入器具において、前記保持手段は、前記プランジャーが進退移動される押出軸外の位置で前記眼内レンズを保持することを特徴とする。
（３）  （２）の眼内レンズ挿入器具において、前記押込手段は、前記プランジャーの押出軸外で保持された前記眼内レンズを前記プランジャーの押出軸上へと押し込むことを特徴とする。
（４）  （３）の眼内レンズ挿入器具において、前記規制手段は樹脂で形成された凸状の部材であり、前記眼内レンズのレンズ面を支持するために、該レンズ面の周囲から内側に向けて水平方向に延び、前記押込手段による押圧によって前記眼内レンズの移動方向に向けて変形される肉厚を持つことを特徴とする。
（５）  （４）の眼内レンズ挿入器具において、前記規制手段は、前記保持手段による前記眼内レンズの保持が解除されたときに、前記プランジャーの押出軸外に位置されることを特徴とする。
（６）  （５）の眼内レンズ挿入器具において、前記筒部本体は更に、前記プランジャーで前記眼内レンズが押される際に前記眼内レンズが置かれる載置部と、該載置部に粘弾性物質を塗布するために前記筒部本体の前記載置部近辺に設けられる開口部とを有し、前記保持手段が筒部本体に対して移動又は回動されることで、前記眼内レンズが前記載置部上に位置すると共に前記開口部が塞がれることを特徴とする。
（７）  （６）の眼内レンズ挿入器具において、前記保持手段は、前記載置部の上方に設けられた前記開口部を塞ぐための回動可能な蓋部材であることを特徴とする。
（８）  （７）の眼内レンズ挿入器具において、前記押込手段は、前記開口部を塞ぐための前記保持手段の回動動作と、前記保持手段で前記開口部が塞がれた後の前記載置部への前記眼内レンズの押込み動作を兼用することを特徴とする。
（９）  （８）の眼内レンズ挿入器具において、前記押込手段は、前記保持手段に保持された前記眼内レンズを前記載置部上へ押し込むための押出部を持ち、前記保持手段は、前記押出部を通過させて前記眼内レンズに当接させるための開口を持ち、前記保持手段に対して前記押込手段が押されたときに、前記押出部が前記開口を通過して前記眼内レンズが押されることで、前記規制手段による前記眼内レンズの規制が解除されることを特徴とする。
（１０）  （９）の眼内レンズ挿入器具において、前記押出部と前記開口は、前記保持手段に保持された前記眼内レンズの光学部及び支持部の少なくとも一方に対応する位置に形成されることを特徴とする。
（１１）  （１０）の眼内レンズ挿入器具において、前記押出部には、前記プランジャーの軸出しを行うための溝が形成されていることを特徴とする。
（１２）  （１１）の眼内レンズ挿入器具において、前記開口部は、応力が加えられていない前記眼内レンズの外形形状よりも大きく形成されることを特徴とする。
【発明の効果】
【０００８】
簡単な構成で眼内レンズの保持と解除ができるインジェクターを提供する。
【図面の簡単な説明】
【０００９】
【図１】眼内レンズ挿入器具の外観の斜視図である。
【図２】押出部材の構成の説明図である。
【図３Ａ】眼内レンズ挿入器具の側面図である。
【図３Ｂ】眼内レンズ挿入器具の側面図である。
【図４Ａ】眼内レンズ保持部の構成の説明図である。
【図４Ｂ】眼内レンズ保持部の構成の説明図である。
【図４Ｃ】眼内レンズ保持部の構成の説明図である。
【図５Ａ】眼内レンズの保持状態の解除動作の説明図である。
【図５Ｂ】眼内レンズの保持状態の解除動作の説明図である。
【図５Ｃ】眼内レンズの保持状態の解除動作の説明図である。
【発明を実施するための形態】
【００１０】
本発明の実施形態を図面に基づき説明する。図１は眼内レンズ挿入器具（以下、インジェクターと記す）１０の外観斜視図である。図２は、押出部材（以下、プランジャーと記す）４０の構成の説明図である。図３Ａ、３Ｂはインジェクター１０の側面図である。図４Ａ〜４Ｃは眼内レンズ保持部の構成の説明図であり、眼内レンズ１と各構成要素の斜視図が示されている。
【００１１】
インジェクター１０は、眼内レンズ１を眼内に注入するための本体１０ａと、未使用の眼内レンズ１を保持（保管）するための眼内レンズ保持部１００とから構成される。本体１０ａは、眼内レンズ１を小さく折り畳む中空状の挿入筒部（以下、挿入部と記す）２０と、挿入部２０を先端に備える中空状の筒部３０と、筒部３０に対して前後方向に移動可能に取り付けられ，眼内レンズ１を眼内へと押し出すためのプランジャー４０から構成される。
【００１２】
挿入部２０は、先端２１ａを有する略円筒形状の挿入筒２１、使用時に眼内レンズ１が置かれる載置台２２、眼内レンズ保持部１００に保持された眼内レンズ１を載置台２２側へと通過させるための開口部２３を備える。なお、載置台２２は挿入部２０の基端側に設けられ、開口部２３は載置台２２の近辺に設けられる。本実施形態では開口部２３は載置台２２の上方に設けられているとする。挿入筒２１は先端２１ａに向けて内径が徐々に小さく（細く）なるテーパ形状に形成されている。開口部２３は、眼内レンズ保持部１００で保持された眼内レンズ１が本体１０ａ側へと移動される際に、破損などの不具合の生じない広さ（形状）に形成されている。例えばここでは開口部２３の端２３ａは、眼内レンズ保持部１００から押出された眼内レンズ１が開放状態（応力がかけられていない状態）で通過できる範囲の外側の位置に設けられる。開口部２３を介して載置台２２に置かれた眼内レンズは、プランジャー４０による押出によって挿入筒２１の内部を通過しながら、その内壁形状に沿って小さく折り曲げられ、先端２１ａから送出される。
【００１３】
眼内レンズ保持部１００は、挿入筒２１の先端２１ａ側に設けられた接続部２５を介して本体１０ａに対して回動可能に取り付けられている。また眼内レンズ保持部１００の開口部２３に接触（接続）される側には、開口部２３と閉じ合う形状に形成された保持手段（保持部材）である蓋部１１０が用意されている（図３Ｂ参照）。これにより眼内レンズ保持部１００が本体１０ａに接近する方向に回動され、蓋部１１０と開口部２３が閉じ合わせられると、本体１０ａ内が密閉される。なおここでの図示は省略するが、蓋部１１０と開口部２３は係止部を介して閉じ合わせられるとする。
【００１４】
一方、眼内レンズ保持部１００が本体１０ａに対して離れる方向に回動されると、開口部２３が開き、載置台２２（又は、眼内レンズ１が接触される挿入筒２１の内壁）が現れ、開口部２３から載置台２２に粘弾性物質を塗布できる状態となる。
【００１５】
また、眼内レンズ保持部１００の蓋部１１０（開口部２３に閉じ合わせられる側）は、規制手段（規制部材）である保持部１１１、１１２を備え（図４Ｂ参照）、保持部１１１、１１２によって眼内レンズ１がプランジャー４０の押出軸Ｌ外で保持される。なおプランジャー４０の押出軸Ｌとは、眼内レンズ１を眼内へと押し出す際に、プランジャー４０が前後方向に進退移動されるときの軸である。
これにより蓋部１１０と開口部２３が閉じ合わせられると、本体１０ａ内が密閉されると共に、眼内レンズ１が載置台２２上の押出軸Ｌ外に位置される。このような眼内レンズ保持部１００の構成の詳細な説明は後述する。
【００１６】
接続部２５には、眼内レンズ保持部１００を本体１０ａに対して回動可能に開閉できる強度を有するものが使用される。例えば、周知のヒンジ等が使用される他、本体１０ａと眼内レンズ保持部１００を同一素材の薄い屈曲部で接続しても良い。
【００１７】
プランジャー４０は術者に押圧される押圧部４１、押圧部４１に接続される軸基部４２、軸基部４２に接続される押出棒４３、押出棒４３の先端に接続されて眼内レンズ１の押出時に光学部に当接される先端４４から構成される。これによりプランジャー４０は筒部３０から挿入部２０の先端まで繋がる通路を押出軸Ｌに沿って進退可能に挿通される。
【００１８】
次に眼内レンズ保持部１００の構成を説明する。図４Ａ〜４Ｃにおいて、眼内レンズ保持部１００は、眼内レンズ１が保持される蓋部１１０と、蓋部１１０に保持されている眼内レンズ１の保持を解除して、載置台２２上に向けて押し込むための複数の押込部を有する押込部材（押込手段）１２０との組み合わせで構成される。なお、図４Ａ〜４Ｃでは蓋部１１０に保持される眼内レンズ１のレンズ面の裏面側を上側とした状態（図１と逆向きの状態）が示されている。
【００１９】
なお図４Ａでは、眼内レンズ１として、光学部１ａと一対の支持部１ｂとが柔軟な素材で一体成形されたワンピースタイプの眼内レンズが示されている。これ以外にも、眼内レンズ１としては、インジェクター１０を用いて折り曲げ可能な周知のものが使用される。例えば、光学部と一対の支持部とを別部材で形成した後、一体化される３ピースタイプの眼内レンズ等が使用されても良い。
【００２０】
蓋部１１０の本体１０ａ側に位置される設置面１１０ａには、眼内レンズ１を保持するために設置面１１０ａに対して垂直方向に伸びる柱状の保持部１１１、１１２が設けられている。保持部１１１は、眼内レンズ１の設置面１１０ａに対する水平方向の移動を抑えるために、眼内レンズ１の外周形状に沿う（接する）位置に形成される。ここでは、光学部１ａと支持部１ｂの接続位置の２箇所に保持部１１１が形成されている。
【００２１】
保持部１１２は、設置面１１０ａに置かれた光学部１ａの外縁に接し（もしくは僅かに外側で）光学部１ａに対して左右位置（押出方向に垂直な方向）に設けられる。保持部１１２は、設置面１１０ａに対して垂直方向に延びる柱状の支持部１１２ａと、支持部１１２ａの先端から内側に向けて略直角に取り付けられた規制部材１１２ｂから構成される。規制部材１１２ｂは、後述する押込部による押込み方向に対して、設置台１１１に置かれた眼内レンズ１（光学部１ａ）の移動を規制し、押出軸Ｌ外で保持する。また規制部材１１２ｂは、押込み方向に対して眼内レンズ１の裏面側のレンズ面を支持するために、光学部１ａの周囲から内側（ここでは光学部の中心）に向けて所定量だけ水平方向に延びる長さの凸形状に形成されている。
【００２２】
以上のような構成の蓋部１１０は樹脂で形成される。そして規制部材１１２ｂは後述する押込部材１２０による押圧によって、眼内レンズ１の移動方向に向けて変形される柔軟性を有する肉厚で形成される。なお規制部材１１２ｂは、眼内レンズ１の重量又は設置面１１０ａ上での眼内レンズ１の動き（微動）によって生じる力に対しては変形されず、押込部材１２０から加えられる押力で容易に変形される（支持部１１２ａの接続位置を軸として折り曲げられる）柔軟性と強度を有する厚さ（肉厚）に形成される。また、規制部材１１２ｂは、保持部１１２による眼内レンズ１の保持が解除されるときに、変形された規制部材１１２ｂの先端がプランジャー４０の押出軸Ｌに掛からない長さに決定されている。
【００２３】
以上のような構成の保持部１１２によって、眼内レンズ１の保管時であって後述する押込部材１２０の押し込み操作が行われていないときに、規制部材１１２ｂで設置面１１０ａに対する眼内レンズ１の上下方向の移動が抑えられる。なお、眼内レンズ保持部１００と開口部２３が閉じ合わせられているときは、規制部材１１２ｂによって眼内レンズ１は設置面１１０から若干離れた位置で保持されても良い。
【００２４】
一方、眼内レンズ１の使用時に押込部材１２０の押し込み操作によって、眼内レンズ１を介して規制部材１１２ｂに押圧が加えられると、規制部材１１２ｂが外方向（眼内レンズの移動方向に沿って）に向けて広げられる（変形される）。これにより眼内レンズ１は変形前の規制部材１１２ｂの位置を通過でき、眼内レンズ１の移動によって保持部１１２による保持が解除される。
【００２５】
なお、規制部材１１２ｂは変形可能に柔軟であるので、眼内レンズ１が本体１０ａ側へ移動される際に、光学部１ａの周縁（コバ）が規制部材１１２ｂに接触したとしても、接触により加えられる応力で光学部１ａの周縁には傷などの損傷が生じ難い。
【００２６】
つまり、眼内レンズ１を保持するための規制部材１１２ｂを変形可能な構成にすることで、光学部に不要な応力が加わりにくくなり、眼内レンズ１の保持解除が好適に行われる。なお、規制部材１１２ｂは、少なくとも光学部１ａが接触される範囲が変形可能な構成であれば良く、例えば規制部材１１２ｂは支持部１１２ａの接続位置から変形される肉厚又は形状に形成される。
【００２７】
以上、本実施形態では、眼内レンズ保持部１００に設けられた規制部材１１２ｂによって、光学部１ａの左右方向への移動と、設置面１１０ａに対して上下に接近又は離れる方向への移動が抑えられる。その為、保管時に眼内レンズ１が眼内レンズ保持部１００内で動き、誤って本体１０ａ側へと押出されてしまうことが防止される。
【００２８】
なお保持部１１１は、保管された眼内レンズ１の外周に接触するよう設置面１１０ａからの高さが決定されている。また保持部１１２（支持部１１２ａ）は、規制部材１１２ｂの形成位置が、設置面１１０ａに置かれた眼内レンズ１のレンズ面（ここでは裏面）の高さ（厚さ）よりも高く形成される。これにより眼内レンズ１は応力が加えられない状態で押出軸Ｌ外にて安定して保持される。一方、各保持部１１１、１１２の長さは出来るだけ短いほうが、眼内レンズ１の保持を解除する際に押圧部１２０の押込み量を少なくできる。
【００２９】
更に各保持部１１１、１１２の高さ（長さ）は、蓋部１１０で開口部２３が塞がれたときに、プランジャー４０の押出軸Ｌ（射出軸）に掛からない高さ（長さ）になっている。これにより蓋部１１０と本体１０ａが閉じ合わせられたままで、プランジャー４０による眼内レンズ１の折り曲げ動作が好適に行われる。
【００３０】
なお規制部材１１２ｂの長さが押出軸Ｌに掛からない程度に十分に短い場合には、押込部材１２０の押圧によって規制部材１１２ｂが一旦外側に向けて変形した後、元の状態に戻らなくても良い。勿論、規制部材１１２ｂが変形した後、その復元力で元の状態に戻っても良い。
【００３１】
また、蓋部１１０で開口部２３の端２３ａに対応する位置には、段状の溝１１９が形成されており、蓋部１１０で開口部２３が塞がれたときに、端２３ａと溝１１９が嵌合されることで本体１０ａ内が密閉される。
【００３２】
更に、蓋部１１０には、押込部材１２０に形成された複数の押圧部を通過させる複数の貫通孔１１６が形成されている。本実施形態では、蓋部１１０に置かれた光学部１ａの周縁の位置に対応して略円弧形状に形成された貫通孔１１６ａと、光学部１ａの中心位置に対応して略円形に形成された貫通孔１１６ｂと、各支持部１ｂの位置に対応して長方形状に形成された貫通孔１１６ｃとが設けられている。このように眼内レンズ１の各部位に対応させて貫通孔１１６を形成し、押圧部が通過されることで、眼内レンズ１全体がバランス良く（均一に）押される。なお、貫通孔１１６は押圧部で眼内レンズ１を押出可能な位置に少なくとも１箇所設けられていれば良く、光学部及び支持部の少なくとも一方に対応する位置に形成されていれば良い。
【００３３】
押込部材１２０は、眼内レンズ保持部１００から本体１０ａ側へと、眼内レンズ１を押し込むための部材であり、術者が押力を加えるための板１２１と、前述の貫通孔１１６（１１６ａ〜１１６ｃ）の形成位置に対応して設けられた押出部１２６（１２６ａ〜１２６ｃ）から構成され、蓋部１１０と同様に樹脂で形成されている。
【００３４】
各押出部１２６ａ〜１２６ｃは、各貫通孔１１６ａ〜１１６ｃを通過可能に、その先端形状が各貫通孔１１６ａ〜１１６ｃの形状と略等しく（僅かに小さく）形成されている。これにより、板１２１を介して押力が加えられると、押出部１２６が貫通孔１１６を通過して、眼内レンズ１に接触される。また眼内レンズ１の保管時に蓋部１１０と押込部材１２０の位置関係を保つため、本実施形態の押出部１２６はその先端から基端（板１２１）に向かいその幅（径）が次第に大きく形成されている。これにより板１２１に押力が加えられていないとき、押込部材１２０と蓋部１１０は所定の位置関係に保たれる。これ以外にも蓋部１１０と押込部材１２０に凹凸等による嵌合部を設けて、眼内レンズ１の保管時の蓋部１１０と押込部材１２０の位置関係を保っても良い。
【００３５】
なお押出部１２６は、光学部１ａを介して規制部材１１２ｂを変形させることのできる長さを有すると共に、蓋部１１０と開口部２３が閉じ合わせられた状態から、押出部１２６が蓋部１１０に当接するまで押され、眼内レンズ１が本体１０ａ側へと完全に押し込まれたときに、プランジャー４０の押出軸Ｌ上に掛からない長さに形成されている。これにより眼内レンズ１を押し込んだ後に、押込部材１２０を取り除くことなく、一度の操作で眼内レンズ１を眼内へと押出可能となる。
【００３６】
また、支持部１ｂが接触される押出部１２６ｃの先端（接触面）には、蓋部１１０に置かれた眼内レンズ１の前後（プランジャー４０の押出軸Ｌ）方向に延びる溝１２９が形成されている。なお、溝１２９は、プランジャー４０の押出棒４３の外形（径）に略一致される形状に形成されており、眼内レンズ１の使用時にプランジャーの軸出し機構として用いられる。また、光学部１ａ（表面側）に接触される押出部１２６ａの先端（接触面）は、出来るだけ面積が広く、光学部１ａの形状に沿った曲面（Ｒ形状）に形成されていることが好ましい。これにより、眼内レンズ１がプランジャー４０で折り曲げられる際に、光学部１ａに掛かる負荷を好適に取り除くことが出来る。
【００３７】
以上のような構成により、保管時には、眼内レンズ１は眼内レンズ保持部１００の複数の保持部で応力が加えられない状態で保持される。使用時には、蓋部１１０で開口部２３が塞がれた状態から、押込部材１２０を押すだけの簡単な操作で、眼内レンズを本体１０ａ側（載置台２２上）へと移動させることができる。更に、蓋部１１０で開口部２３を塞ぐための眼内レンズ保持部１００の回動と、保持部１００から載置台２２へ眼内レンズ１を移動させるための押込み操作とが一連の動作（一度の操作）で行われる。
【００３８】
ところで、眼内レンズの押出時に、インジェクターの内壁との間に生じる摩擦抵抗を抑えるためには、眼内レンズが接触されるインジェクターの内壁面（底面等）に粘弾性物質が塗布されることが好ましいとされる。しかし、特開２００３‐３２５５７０号公報では、眼内レンズがインジェクター内部で密閉される構成でありインジェクターの内壁面に粘弾性物質を塗布しがたい。また、特開２００８−６１６７７号公報では、蓋部材を用いてインジェクター内部が開放される構成ではあるが、予め底面に眼内レンズが置かれているため粘弾性物質を塗布しがたい。また、特表２００７−５０３８７２号公報では、眼内レンズがインジェクター本体と別部材で保持される構成であり、以上のような粘弾性物質の塗布の操作に加えて、眼内レンズをインジェクター本体に取り付けると共に、眼内レンズをインジェクター本体内で押出可能な状態とするための操作が必要となり、手間がかかる課題がある。
【００３９】
一方本実施形態では、眼内レンズ保持部１００の回動で開口部２３を開いた状態で、載置面２２に粘弾性物質が簡単に塗布できる。また眼内レンズ保持部１００と開口部２３を閉じ合わせて、眼内レンズ１を本体１０ａ側に押し込む動作に連動して（眼内レンズ１が載置面２２に移動する動作と連動して）粘弾性物質が挿入筒２１内に一様に広げられる。その為、従来技術と比べて粘弾性物質の塗布と眼内レンズのセットとが効率よく行える。
【００４０】
なお以上のような構成のインジェクター１０は樹脂によるモールド成形で形成される。例えば、本体１０ａと眼内レンズ保持部１００とが別々にモールド成型された後に接続部２５で接続される。また、眼内レンズ保持部１００は、蓋部１１０と押込部材１２０とが個別にモールド成型される。なお、保持部１１２の規制部材１１２ｂは、蓋部１１０（支持部１１２ａ）とモールド加工で一体成形されるか、蓋部１１０（支持部１１２ａ）のみを先に形成した後に接着されても良い。又は、蓋部１１０の削り出しによる切削加工にて形成しても良い。
【００４１】
次に、以上のような構成を備えるインジェクター１０を用いた眼内レンズ１の押出動作を説明する。ここで図３Ａ、３Ｂのインジェクター１０の側面図を用いて、眼内レンズ保持部１００の回動動作を説明する。まず、眼内レンズ１が保持されている状態では、図３Ａでは、開口部２３が蓋部１１０で塞がれて挿入筒２１内が密閉されている。この時、眼内レンズ１は保持部１１１、１１２（規制部材１１２ｂ）によって押出軸Ｌ外で保持されている。なお、ここでは本体１０ａ内で眼内レンズ１が下向き（裏面側が下向き）置かれているが、各保持部１１１、１１２は、眼内レンズ１の重さ及び振動によって変形されないため、眼内レンズ１は各保持部１１１、１１２によって本体１０ａ内で安定して保持される。
【００４２】
次に、術者は、押出軸Ｌ外での眼内レンズ１の保持を解除する。まず、術者は載置台２２（挿入筒２１の内壁）に粘弾性物質を塗布するため、図３Ｂのように、本体１０ａから離れるように眼内レンズ保持部１００を回動させる。これにより、開口部２３が開き、載置台２２（眼内レンズが接触される側の内壁）が現れる。この状態で、術者は周知のシリンジ等を用いて載置台２２に粘弾性物質を塗布する。なお、本実施形態では、粘弾性物質を塗布するための開口部２３が広く形成されているので、術者は載置台２２に簡単に（均一に）粘弾性物質を塗布できる。
【００４３】
粘弾性物質の塗布が完了したら、再び本体１０ａ内を密閉するために、術者は押込部材１２０の板１２１押しながら、眼内レンズ保持部１００を本体１０ａに近づくように回動させる。これにより、溝１１９と開口部２３の端２３ａとが嵌合されて、蓋部１１０によって開口部２３が塞がれる（図３Ａ参照）。更に、開口部２３が塞がれた状態で、押込部材１２０の板１２１が押し続けられると、押込部材１２０の押出部１２６が蓋部１１０の各開口１１６を次第に通過する。そして、押出部１２６の先端が眼内レンズ１に接触されると、押込部材１２０から加えられる押力で眼内レンズ１が押される。このとき、各押出部１２６ａ〜１２６ｃが、眼内レンズ１全体に均一に接触されるので、眼内レンズ１全体が安定して本体１０ａ側へと押し込まれる。
【００４４】
なお、眼内レンズ１が本体１０ａ側へと押し込まれると、次第に保持部１１１、１１２による保持が解除される。ここで、図５Ａ〜図５Ｃに眼内レンズ１の保持解除動作の説明図を示す。なお、図５Ａ〜５Ｃには、眼内レンズ保持部１００を保持部１１２の位置で切断したときの断面図が示されている。なお、説明の便宜上、保持部１２６ａ、１２６ｃ等の図示は省略している。
【００４５】
先ず、図５Ａに示されるように、保持部１１２、１１１で眼内レンズ１が保持されているときに、板１２１に加えられる押力で押出部１２６（図５Ａ〜５Ｃでは保持部１２６ｂのみが示されている）を介して眼内レンズ１が押されると、押出部１２６が眼内レンズ１（光学部１ａの表面側）に接触される。更に板１２１が押し込まれると、図５Ｂに示されるように、眼内レンズ１（光学部１ａ）を介して押される力で、規制部材１１２ｂが次第に外側に向けて変形する。更に眼内レンズ１が押し込まれると、眼内レンズ１の移動方向に沿って規制部材１１２ｂが更に外側に向けて変形される。そして、眼内レンズ１が変形前の規制部材１１２ｂの位置を通過して本体１０ａ側（押出軸Ｌ上）へと移動することで、眼内レンズ１の保持が解除される。なお、ここでは規制部材１１２ｂの長さが十分に短く、眼内レンズ１通過後の規制部材１１２ｂは、変形された状態のままであるとする。更に押込部材１２０が押し込まれると、図５Ｃに示されるように、眼内レンズ１が本体１０ａの載置台２２（押出軸Ｌ上）に置かれる。
【００４６】
以上、眼内レンズ１が押されて移動される方向に、眼内レンズ１のレンズ面を保持すると共に、押込部の押圧で変形される（開閉される）保持部が設けられることで、押込み動作で眼内レンズ１の保持が簡単に解除される。また、眼内レンズ１が載置台２２に置かれたときに、保持部１１１、１１２はプランジャー４０の押出軸Ｌに掛からない位置にあるので、術者は眼内レンズ保持部１００を取り除く事無く、眼内レンズの折り曲げ動作を継続できる。
【００４７】
一方、押込部材１２０が蓋部１１０に対して完全に押し込まれ、眼内レンズ１が載置台２２に置かれると、押出部１２６ｃの接触面に形成された溝１１９が、プランジャー４０（押出棒４３）の押出軸Ｌに位置されて、軸出し機構として使用される。つまり蓋部１１０に押し込まれた状態の押込部材１２０を取外すことなく、眼内レンズ１の折り曲げ動作が好適に行える。また、上述したように、予め粘弾性物質が塗布された載置台２２上に眼内レンズ１が置かれることに伴い、粘弾性物質が挿入筒２１内に好適に広げられ、眼内レンズ１の押出時にと内壁との間に生じる摩擦抵抗が抑えられる。以上のように、押込部材１２０による回動動作と連動して、眼内レンズ１が載置台２２に簡単に置かれる。
【００４８】
次に、術者は、眼内レンズ１を患者眼に挿入させる操作を行う。術者によって押圧部４１が押されると、プランジャー４０の先端４４が光学部１ａの周縁（コバ）に当接される。更に、押圧部４１が押されると、光学部１ａが挿入筒２１の内壁に沿って次第に折り曲げられる（丸められる）。この時、溝１１９による軸出しによってプランジャー４０の前後方向の移動が安定され、光学部１ａが安定して折り曲げられる。更に押圧部４１が押されると、眼内レンズ１が折り曲げられながら先端２１ａ側へと移動される。
【００４９】
以上のように、先端２１ａから光学部２が送出されると、光学部２は嚢内で次第に開放される。そして、プランジャー４０の先端４４が挿入筒２１の先端２１ａまで移動されると、後側の支持部１ｂも眼内へと移動される。そして、一対の支持部１ｂが嚢に沿って位置されることで、光学部１ａが眼内から加えられる応力で保持される。
【００５０】
以上のように、本実施形態の構成にすることで、眼内レンズが予め保持されているタイプの眼内レンズ挿入器具において、粘弾性物質の塗布が簡単に行われる。また、予め粘弾性物質が塗布された状態から、インジェクター本体１０ａ内を密閉させる動作と、眼内レンズ１を載置台上へと移動させる動作を一度の動作で行うことができる。更には、眼内レンズの保管時に、簡単な構成の保持部を用いて眼内レンズが保持され、押出動作に連動して簡単に眼内レンズの保持が解除される。
【００５１】
なお上記では、インジェクター本体と眼内レンズ保持部が一体成形されたタイプのインジェクター（プリセットタイプ若しくはプリロードタイプのインジェクター）の例を示したが、これに限られるものではない。例えば、インジェクター本体と、眼内レンズ保持部とが別構成とされる場合に上記のインジェクターの構成が適用されることで、簡単に必要な箇所への粘弾性物質の塗布を行うことができる。また、眼内レンズの保持と使用の切換を簡単に行える。例えば、眼内レンズ保持部がインジェクター本体の一部を構成する（眼内レンズ保持部が本体の挿入部内壁の一部を形成する）タイプのインジェクター（セミプリセットタイプ若しくはセミプリロードタイプのインジェクター）において本発明の構成を適用可能である。
【００５２】
更に上記の構成では、インジェクター本体に接続された眼内レンズ保持部が回動可能な構成であるが、これに限られるものではない。例えば、眼内レンズ保持部をインジェクター本体の開口部に対して上下方向にスライド可能に保持するスライド部を設ける。これにより、眼内レンズ保持部で眼内レンズが保持された状態で、開口部の位置から簡単に粘弾性物質を塗布できる。また、眼内レンズ保持部がインジェクター本体側へと押し込まれた時に、眼内レンズ保持部がスライド部を介して本体に接近されることで、眼内レンズ保持部（蓋部材）で開口部が塞がれても良い。
【００５３】
また、上記の構成では、載置部の上方に開口部が形成される例が示されているが、開口部は載置部に対して側方（横方向）に設けられていても良い。これ以外にも、眼内レンズ保持部により眼内レンズが保持された状態で、載置部に粘弾性物質を塗布できる位置（載置部に近辺の位置）に開口部が設けられていれば良い。
更に、上記では、眼内レンズ保持部１００（蓋部１１０）で開口部２３が塞がれたときに、インジェクター１０全体が密閉される構成であるが、眼内レンズ保持部１００と本体１０ａとが別々に密閉されていても良い。
【００５４】
なお、以上の構成では、インジェクター本体１０ａと別構成で用意された眼内レンズ保持部１１０によって、眼内レンズ１がプランジャー４０の押出軸Ｌ外で保持される例を示したが、これ以外にも、眼内レンズ１をプランジャー４０押出軸Ｌ上で保持する場合にも、眼内レンズが押出軸Ｌ上で前後方向に移動することを抑えるための規制部材を形成することができる。この場合、プランジャー４０の押出動作に伴って光学部の一部（コバ）に接触されると共に、プランジャー４０の押出軸Ｌ上を避けた位置に、眼内レンズ１の振動等の微動によって加えられる力によっては変形されず、プランジャー４０から加えられる押圧によって変形される規制部材を設ける（なお、規制部材の構成は上述と同様であるためここでの図示は省略する）。このようにすると、保管時に、規制部材によって眼内レンズ１の押出軸Ｌ方向（前後方向）の移動が抑えられる。一方、使用時には、プランジャー４０の押出動作で加えられる押圧で、眼内レンズ１を介して規制部材が変形される。これにより、眼内レンズ１に負荷を掛けることなく簡単に保持状態の解除ができる。また押出軸Ｌ上を避けた位置に規制部材が設けられることで、保持部を取外すことなく、眼内レンズの押出動作のみで簡単に保持状態の解除と眼内への押出動作が連続して行える。
【００５５】
また、眼内レンズ保持部１００に保持されている眼内レンズ１が、本体１０ａに対して横方向（側方）から押し込まれる場合には、その眼内レンズ１の移動方向に、押圧部により加えられる押圧で変形される規制部材が設けられれば良い。つまり眼内レンズ１が保持状態から設置状態（使用状態）へと押し込まれることによる移動方向に、上述と同様の規制部材が形成されれば良い。
【００５６】
また、本実施形態のように、眼内レンズ保持部が本体に対して取り外し可能な構成は、上述したようなプリセット型のインジェクターとして用いられる他、後から眼内レンズを術者が設置するタイプのインジェクターとしても用いることができる。このようにすると、１種類のインジェクターによる用途に応じた使い分けが容易に行えるようになる。
【符号の説明】
【００５７】
１  眼内レンズ
１０  インジェクター
１０ａ  本体
２０  挿入筒部
２１ａ  挿入部先端
２２  載置台
２３  開口部
３０  筒部本体
４０  プランジャー
１００  眼内レンズ保持部
１１０  蓋部
１１２ｂ  規制部材
１１９  溝
１２０  押込部
１２６  押出部
【図１】
2012147810.tif 000003
【図２】
2012147810.tif 000004
【図３Ａ】
2012147810.tif 000005
【図３Ｂ】
2012147810.tif 000006
【図４Ａ】
2012147810.tif 000007
【図４Ｂ】
2012147810.tif 000008
【図４Ｃ】
2012147810.tif 000009
【図５Ａ】
2012147810.tif 000010
【図５Ｂ】
2012147810.tif 000011
【図５Ｃ】
2012147810.tif 000012
【国際調査報告】
2012147810.tif 000013
2012147810.tif 000014
2012147810.tif 000015
2012147810.tif 000016